(57)【要約】【課題】内蔵された電気ヒ−タ−への接続、点検、修理が容易で、且つ、床暖房パネルを敷設施工する場合に該電気ヒ−タ−に接続する電気コードが邪魔にならないようにした床暖房パネルを提供せんとするものである。【解決手段】  床材本体１の裏面に収納凹部１１と該収納凹部１１に連通し且つ床材本体１の側端部に開口する配線溝１２とを形成し、該収納凹部１１に電気ヒ−タ−２を収納すると共に、該電気ヒ−タ−２に接続した電気コード３を上記配線溝１２に収納し、上記電気ヒ−タ−２を覆うよう裏蓋板４を床材本体１の裏面に装着し、該裏蓋板４の端部に延設形成した延設押え片４１で配線溝１２を部分的に覆と共に、該延設押え片４１で電気コード３を被蓋保持してなる床暖房パネル。【選択図】図３
2010078186.tif 000002
【特許請求の範囲】
【請求項１】
床材本体の裏面に収納凹部と収納凹部に連通し且つ床材本体の側端部に開口する配線溝とを形成し、上記収納凹部に電気ヒ−タ−を収納すると共に、該電気ヒ−タ−に接続した電気コードを上記配線溝に収納し、上記電気ヒ−タ−を覆うよう裏蓋板を床材本体の裏面に装着し、該裏蓋板の端部に延設形成した延設押え片で配線溝を部分的に覆うと共に、該延設押え片で電気コードを被蓋保持してなる床暖房パネル。
【請求項２】
上記延設押え片を弾性材で形成し、該延設押え片の弾性力で上記電気コードを配線溝内に被蓋保持してなる請求項１記載の床暖房パネル。
【請求項３】
電気ヒ−タ−に接続された電気コードにコネクタを接続し、該コネクタの左右の配線溝に収納された電気コードを該コネクタの両側から接続し、該裏蓋板の端部に延設形成した複数個の延設押え片で該コネクタの両側の電気コードを被蓋保持してなる請求項１又は請求項２記載の床暖房パネル。
【発明の詳細な説明】
【技術分野】
【０００１】
本願発明は、電気ヒ−タ−を内蔵した床暖房パネルに係り、該床暖房パネルを敷設施工する場合に該電気ヒ−タ−に接続された電気コードがはずれたり、邪魔になったりしないようにした床暖房パネルに関するものである。
【背景技術】
【０００２】
従来の床暖房パネルとして、特開平５−１７２３５０号公報に示されているものがある。この床暖房パネルは、基材合板の表面側に形成した凹所にヒ−タ−を内蔵し、該ヒ−タ−に電源を供給する接続ケーブルを連結するための端子片台（コネクタ）を、床暖房パネルを構成する基材合板の裏面に形成した切欠溝に配設し、この端子台に連結する接続ケーブルを該切欠溝内に収納するというものであった。そしてこの床暖房パネルの特徴はヒ−タ−への電源供給配線の接続が容易であるというものであった。
【特許文献１】特開平５−１７２３５０号公報
【発明の開示】
【発明が解決しようとする課題】
【０００３】
上記文献１に記載の技術においては、床暖房パネルを敷設施工するとき、端子台に連結された接続ケーブルが、切欠溝から外れてブラブラし、該敷設作業を効率よく行うことが困難であった。また、極端な場合、接続ケーブルが端子台及び切欠溝から離脱して落下する場合があった。
【０００４】
また、ヒ−タ−が基材合板の表面側に形成した凹所にヒ−タ−が内蔵されており、該ヒ−タ−への電源供給配線のための端子台は、基材合板の裏面に設けられた切欠溝に収納されているから、ヒ−タ−と端子台との電気接続が面倒であり、且つ両者間の電気接続の点検修理が面倒であった。また、接続ケーブルを切欠溝から脱落させないためには、シート材や紙材で接続ケーブルを基材合板の裏面に貼着する場合はその強度を十分にする必要があり、該貼着面積を大きくしなければならなかった。
【０００５】
また、接着力の強固な粘着テープで接続ケーブルを貼着する場合、再施工時にその強固な接着力の粘着テープを剥がすのに手間が掛かかり、更に、シート材や紙材で接続ケーブルを貼り付ける場合、接続ケーブル部の火花による万一の発火を抑止するため、該シート材や紙材に難燃処理を施す必要があった。
【０００６】
本願の目的は、電気ヒ−タ−への接続、点検、修理が容易で安全であり、且つ、床暖房パネルを敷設施工する場合に該電気ヒ−タ−に接続する電気コードが邪魔にならないようにした床暖房パネルを提供することにある。
【課題を解決するための手段】
【０００７】
上記課題を解決するために、本願請求項１に記載の発明に係る床暖房パネルは、床材本体の裏面に収納凹部と該収納凹部に連通し且つ床材本体の側端部に開口する配線溝とを形成し、該収納凹部に電気ヒ−タ−を収納すると共に、該電気ヒ−タ−に接続した電気コードを上記配線溝に収納し、上記電気ヒ−タ−を覆うよう裏蓋板を床材本体の裏面に装着し、該裏蓋板の端部に延設形成した延設押え片で配線溝を部分的に覆うと共に、該延設押え片で電気コードを被蓋保持してなることを特徴としている。
【０００８】
本願請求項２に記載の発明は、上記請求項１に記載の床暖房パネルにおいて、上記延設押え片を弾性材で形成し、該延設押え片の弾性力で上記電気コードを配線溝内に被蓋保持してなることを特徴としている。
【０００９】
本願請求項３に記載の発明は、上記請求項１又は請求項２に記載の床暖房パネルにおいて、電気ヒ−タ−に接続された電気コードにコネクタを接続し、該コネクタの左右の配線溝に収納された電気コードを該コネクタの両側から接続し、該裏蓋板の端部に延設形成した複数個の延設押え片で該コネクタの両側の電気コードを被蓋保持したことを特徴としている。
【発明の効果】
【００１０】
本願請求項１記載の発明に係る床暖房パネルは、上記構成であり、特に、床材本体の裏面に収納凹部と収納凹部に連通し且つ床材本体の側端部に開口する配線溝とを形成したから、上記収納凹部に収納された電気ヒ−タ−と電気ヒ−タ−に電源供給するため該配線溝に嵌入された電気コードやコネクタとの接続を、床材本体の裏面である同一平面上で行うことができ、その接続作業を簡単に行える。
【００１１】
また、上記電気ヒ−タ−を覆うよう裏蓋板を床材本体の裏面に装着したとき、裏蓋板の端部に延設形成した延設押え片で配線溝を部分的に覆うと共に、該延設押え片で電気コードを被蓋保持しているから、該床暖房パネルの施工時において、電気コードやコネクタが配線溝から脱落しにくいという効果があり、更に上記裏蓋板に形成された延設押え片は、シート材や紙材に比較して難燃性が高く、万一、電気コード接続部に火花が生じても発火に至りにくいのである。勿論該裏蓋板および延設押え片に難燃処理した材料を用いれば該発火抑止効果は高まる。また、延設押え片は裏蓋板の端部に形成されているから、電気ヒ−タ−の被蓋と配線溝に嵌入された電気コードの被蓋保持を同時に行うことができるので、床暖房パネルの製造を効率よく行うことができる。
【００１２】
本願請求項２記載の発明は、上記請求項１記載の発明に係る床暖房パネルにおいて、上記延設押え片を弾性材で形成し、該延設押え片の弾性力で上記電気コードを配線溝内に被蓋保持しているから、延設押え片を所定の電気コード上に位置させてそのまま延設押え片を手放すだけで該延設押え片は自己弾性力で復元し、該電気コードは略一定の弾性力で被蓋保持される。また、当該被蓋作業中に電気コードが正常に配線溝内に嵌入しなかった場合は延設押え片をその弾性力に抗して持ち上げた状態で該電気コードの嵌入位置を手直しでき、従って、この延設押え片による電気コードへの被蓋保持作業を極めて正確簡単に効率よく行うことができる。
【００１３】
本願請求項３記載の発明は、上記請求項１又は請求項２記載の発明に係る床暖房パネルにおいて、電気ヒ−タ−から導出された電気コードの先端にコネクタを接続し、該コネクタの左右の配線溝に収納された電気コードを該コネクタの両側から接続すると共に、複数個の延設押え片で該コネクタの両側の電気コードを被蓋保持しているから、該コネクタおよび左右の電気コードは極めて高い確立で配線溝から脱落せず、このとき、延設押え片を少し持ち上げることによって、コネクタと電気コードとの接続や電気コードが正しく配線溝内に収納されているかの微調節を簡単に行うことができる。
【発明を実施するための最良の形態】
【００１４】
以下、本願発明の暖房パネルに係る実施形態について図面を参照して詳細に説明する。図１は、本発明に係る第一の実施の形態の分解斜視図、図２は、図１におけるＸ−Ｘ線断面図である。１は床材本体であり、該床材本体１は木質床材を加工することにより、その裏面に収納凹部１１を形成している。この収納凹部１１には面状の電気ヒ−タ−２が収納される。該収納凹部１１に収納された電気ヒ−タ−２に電源を供給する電気コード３は、床材本体１の裏面に形成した配線溝１２に着脱自在に嵌入される。
【００１５】
該配線溝１２は収納凹部１１に連通し且つ床材本体１の側端部に開口している。該配線溝１２は、収納凹部１１に並設された状態で当該床材本体１の裏面端部に形成されている。又、該配線溝１２の適宜箇所に電気コード３のコード溜まり１２１が形成されており、当該床暖房パネルを敷設するとき該電気コード３の長さ方向の余裕部分を該コード溜まり１２１に収納するのである。更に、該配線溝１２にはコネクタ設置凹所１２２が形成されており、電気ヒ−タ−２に接続されたコネクタ５が該コネクタ設置凹所１２２に収納され、その両側から、電気コード３、３が着脱自在に接続される。１３床材本体１に形成した実部である。
【００１６】
床材本体１の裏面の収納凹部１１に電気ヒ−タ−２を収納し、配線溝１２に各電気コード３、３を嵌入し、コネクタ設置凹所１２２に収納されたコネクタ５に各電気コード３、３を接続する。このとき電気コード３の一部はコード溜まり１２１に収納され、床暖房パネルを敷設するとき、コード溜まり１２１から電気コード３を引き出し隣接する床暖房パネルとの電気接続を容易にするのである。４は電気ヒ−タ−を被蓋するための裏蓋板であり該裏蓋板４にはその端部に延設形成した延設押え片４１が形成されている。裏蓋板４は、実施例においては、厚さ２ｍｍの薄板合板で形成しているが、他の材料としては、ＭＤＦ材、ＨＤＦ材、樹脂材、金属材等で形成してもよい。該樹脂材としては、ＡＢＳ材、ＰＰ材、ＰＳ材、塩ビ材、非ハロゲン化難燃樹脂類（難燃ＡＢＳや難燃ＰＰ）などが使用される。
【００１７】
図３（イ）は、上記第一の実施の形態において、床材本体１の収納凹部１１に電気ヒ−タ−２を収納した状態を示す裏面図、図３（ロ）は、上記第一の実施の形態において、床材本体１の収納凹部１１に電気ヒ−タ−２を収納し、且つ、裏蓋板４で、電気ヒ−タ−２を被蓋した状態を示す裏面図である。同図に示すように、収納凹部１１に電気ヒ−タ−２を収納した後に、該電気ヒ−タ−２を被蓋するよう裏蓋板４を床材本体１の裏面に接着し硬化させる。裏蓋板４の固着方法は他の公知の手段を採用してもよい。このとき、電気ヒ−タ−２に直接接続された電気コード３を介して接続されたコネクタ５はコネクタ設置凹所１２２に収納された状態となっており、必要な電気コード３、３は、コネクタ５両側に接続されている。裏蓋板４で電気ヒ−タ−２を被蓋するとその延設押え片４１が配線溝１２を部分的に覆と共に、該延設押え片４１でコード溜まり１２１近辺の電気コード３を配線溝１２内に被蓋保持するのである。その結果、床暖房パネルの敷設施工の際の床暖房パネルを所定位置に設置する等のハンドリングのとき、上記電気コード３やコネクタ５が配線溝１２から離脱しにくくなっている。
【００１８】
延設押え片４１は裏蓋板４と一体的に形成されているが、該延設押え片４１を弾性に富んだ材料や形状にすることにより、配線溝１２内の電気コード３を必要十分に被蓋保持するとともに、必要に応じて該延設押え片４１をその弾性に抗して持ち上げることにより該電気コード３を配線溝１２から容易に取り外すことができる。勿論該延設押え片４１を別材料で形成し裏蓋板４の端部に装着してもよい。被蓋保持は脱落を防止する意味であり、延設押え片４１によりその機能を発揮するものである。
【００１９】
図４（イ）は、本発明に係る第二の実施の形態において、床材本体１の収納凹部１１に電気ヒ−タ−２を収納した状態を示す裏面図、図４（ロ）は、本発明に係る第二の実施の形態において、床材本体１の収納凹部１１に電気ヒ−タ−２を収納し、且つ、裏蓋板４で、電気ヒ−タ−２を被蓋した状態を示す裏面図。この実施の形態は、図１〜図３に開示した実施の形態に加えて延設押え片４１を追加形成したものである。
【００２０】
従って、床材本体１の収納凹部１１に収納された電気ヒ−タ−２を被蓋したとき、図４（ロ）に示す如く、コネクタ５の左右の電気コード３、３を延設押え片４１、４１で弾性的に押圧し被蓋保持できるので、電気コード３全体を配線溝内に一層確実に保持できる。特に、コネクタ５と左右の電気コード３、３とは、差込式接続となっているので、経年変化により電気コード３がコネクタ５から離脱しようするが、この離脱を左右の延設押え片４１、４１が防止するのである。更に、電気コード３の修繕取替えを行うときは、該延設押え片４１、４１をその弾性力に抗して容易に持ち上げることができるので、電気コード３の修理交換などを簡単に行うことができる。尚、本発明においては延設押え片４１の個数の制限はない。
【００２１】
このように、本発明は裏蓋板４に形成した延設押え片４１で電気コード３を配線溝１２内に被蓋保持するものであるから、裏蓋板４を床材本体１の裏面に装着する前においてはコネクタ５および電気コード３との配線、離脱が容易であり、また、裏蓋板４を装着した後は、該延設押え片４１の開閉が容易であり、また、本発明の床暖房パネルを取り扱う場合にもコネクタ５や電気コード３、３が脱落しにくいのである。
【図面の簡単な説明】
【００２２】
【図１】本願発明の第一の実施の形態である床暖房パネルを示す分解斜視図。
【図２】図１におけるＸ−Ｘ断面図。
【図３】（イ）は同床暖房パネルにおいて床材本体の収納凹部に電気ヒーターを収納した状態を示す裏面図、（ロ）は同床暖房パネルにおいて床材本体の収納凹部に電気ヒーターを収納して裏蓋板で被蓋した状態を示す裏面図。
【図４】本願発明の第二の実施の形態である床暖房パネルを示し、（イ）は同床暖房パネルにおいて床材本体の収納凹部に電気ヒーターを収納した状態を示す裏面図、（ロ）は同床暖房パネルにおいて床材本体の収納凹部に電気ヒーターを収納して裏蓋板で被蓋した状態を示す裏面図。
【符号の説明】
【００２３】
１      床材本体
１１    収納凹部
１２    配線溝
１２１  コード溜まり
１２２  コネクタ設置凹所
１３    床材本体の実部
２      電気ヒ−タ−
３      電気コード
４      裏蓋板
４１    延設押え片
５      コネクタ
【図１】
2010078186.tif 000003
【図２】
2010078186.tif 000004
【図３】
2010078186.tif 000005
【図４】
2010078186.tif 000006